(57)【特許請求の範囲】
【請求項１】
集塵部と電動送風機を内蔵する電動送風機室を有する掃除機本体と、該掃除機本体に形成される排気口と、前記掃除機本体に設けられ、前記集塵部から電動送風機を介して排気口に至る排気流路とを備え、前記電動送風機を囲繞するフィルタを有し、該フィルタで囲まれる空間内に環状の紫外線ランプを配置したことを特徴とする電気掃除機。
【請求項２】
前記フィルタで囲まれる空間の掃除機本体内面に、対紫外線劣化防止処理を施したことを特徴とする請求項１記載の電気掃除機。
【発明の詳細な説明】
【０００１】
【発明の属する技術分野】
本願発明は電気掃除機に係わり、特に塵埃と共に吸い込まれる細菌等の殺菌機能に関するものである。
【０００２】
【従来の技術】
従来のこの種の電気掃除機としては、特開平０５−３１７２１６号公報（Ａ４７Ｌ  ９／１０）に開示されたものがある。
【０００３】
上記の公報に開示されたものは、集塵袋支持台の中央でかつ集塵袋口板で開口部をおおわれる位置に、消臭剤，芳香剤，殺菌剤等の収納部を設けたものである。
【０００４】
【発明が解決しようとする課題】
ところが、このような従来のものにおいては、殺菌剤等の収納部が集塵室内にあるので、集塵室内で殺菌しきれなかった細菌等が電動送風機を介して排気口から外部に排出される畏れがある。また、殺菌剤等は、徐々に効力が低下するので、常に一定の効果が得られるわけではない。
【０００５】
そこで、本願発明はこのような課題を解決するためになされたものであり、集塵部からの細菌等を常に一定の効果で殺菌して、外部に排出されるのを防ぐことができる電気掃除機を提供することを目的とするものである。
【０００６】
【課題を解決するための手段】
上記のような目的を達成するために、本願発明は、集塵部と電動送風機を内蔵する電動送風機室を有する掃除機本体と、該掃除機本体に形成される排気口と、前記掃除機本体に設けられ、前記集塵部から電動送風機を介して排気口に至る排気流路とを備え、前記電動送風機を囲繞するフィルタを有し、該フィルタで囲まれる空間内に環状の紫外線ランプを配置したことを特徴とするものである。
【００１１】
また、前記フィルタで囲まれる空間の掃除機本体内面に、対紫外線劣化防止処理を施したことを特徴とするものである。
【００１２】
【発明の実施の形態】
以下、本願発明の実施形態を図面を参照して詳細に説明する。
【００１３】
図１〜図４は、本願発明の一実施形態を示す構成図であり、本実施形態の電気掃除機における掃除機本体１は、下ケース２と上ケース３から成る本体ケース４の前部に、ホース（図示せず）が差し込まれる差込口５に連通する吸気口６を有して着脱自在に装着されるサイクロン式の集塵容器７が、後部には電動送風機８が内蔵される電動送風機室１１が備えられている。そして、上記サイクロン式集塵容器７の上部排気口７ａと電動送風機室９の上部吸気口９ａとが連通するように構成されている。
【００１４】
上記電動送風機室９の上方に位置する上ケース３中央部には、円弧状のハンドル１０が、そのグリップ部が前後方向を向くように取り付けられている。また、サイクロン式集塵容器７の上部には、上記ハンドル１０に連続する如く取手１１が形成されている。
【００１５】
上記電動送風機８は、モータ１２を下側にして上側に遠心ファンとディフューザがファンカバー１３で覆われて配置されている。モータ１２は、ロータやステータから成るモータ駆動部がブラケット１４で覆われ、このブラケット１４には、モータ駆動部を冷却した排気風が排出されるブラケット排気口１５が形成されている。
【００１６】
また、ファンカバー１３の中央部には吸込口１３ａが形成されており、外周縁には、モータクッションフロント１６が配置されている。また、モータ１２はモータベース部１７内に収められており、このモータベース部１７には、上記モータ１２のブラケット排気口１５から排出される排気を外側に排出する開口部１８が全周にわたって複数形成されている。
【００１７】
そして、本実施形態においては、上記モータベース部１７の下部側内周で、モータ１２の周囲に位置するように環状の紫外線ランプ２０が配置されている。また、モータベース部１７の各開口部１８を覆うように、モータベース部１７の内周側全面にわたってフィルタ２１が取り付けられている。さらに、図示はできないが、上記フィルタ２１の周囲のモータベース部１７や本体ケース４内面には、対紫外線劣化防止処理（例えば遮光処理等）が施されている。上記環状の紫外線ランプ２０は、電動送風機８のモータ１２への通電と共に通電されて点灯するように構成されている。
【００１８】
モータ１２のブラケット排気口１５から排出された排気は、上記フィルタ２１を通過してモータベース部１７外に排出され、掃除機本体１の後部両側に設けられた大径の後車輪２２の内側に形成された排気口２３から外部に排出されるように構成されている。また、下ケース２の底面側前部中央には、キャスター式の前輪２４が取り付けられている。
【００１９】
以上の構成において、掃除時に、電動送風機８が動作すると、図示しない床用吸込具等から吸い込まれた塵埃を含む空気が、延長管，ホースを通って、ホース差込口５から吸気口６を介してサイクロン式集塵容器７内に入る。
【００２０】
サイクロン式集塵容器７内では、塵埃を含んだ空気が螺旋状に旋回することにより、遠心力によって塵埃が分離され、さらにメッシュ状のフィルタで濾過されてから上部排気口７ａより電動送風機室９の上部吸気口９ａに吸い込まれる。
【００２１】
電動送風機室９に入った吸気は、電動送風機８のファンカバー１３の吸込口１３ａから遠心ファンとディフューザによって、モータ１２のブラケット１４内に送り込まれ、モータ駆動部を冷却した後、ブラケット排気口１５から排出される。
【００２２】
ブラケット排気口１５から排出された排気は、モータベース部１７の内周に配置されたフィルタ２１を通過して、後車輪２２に形成された排気口２３から本体１外に排出されるが、この時、モータ１２への通電と共に通電されて点灯する紫外線ランプ２０より照射される紫外線によって、ブラケット排気口１５から排出された排気に含まれる細菌やモータベース部１７内周のフィルタ２１に付着した細菌等が殺菌される。従って、装置外に排気と共に細菌が排出されるのを防ぐことができる。
【００２３】
特に、本実施形態においては、環状の紫外線ランプ２０を用いているので、モータブラケット１４とフィルタ２１間の全周にわたって紫外線がむら無く照射されることによって、ブラケット排気口１５から排出された排気に含まれる細菌やモータベース部１７内周のフィルタ２１に付着した細菌等が全て殺菌可能となる。
【００２４】
また、紫外線は掃除機本体１を形成する樹脂を劣化させるが、樹脂で形成されるモータベース部１７にはその内周側全面にわたってフィルタ２１が配置されており、このフィルタ２１によって紫外線が遮られて直接照射されないので、モータベース部１７の劣化を抑止することができる。
【００２５】
さらに、紫外線の一部がフィルタ２１を透過しても、照射する虞のあるモータベース部１７や本体ケース４内面には、対紫外線劣化処理が施されているので、紫外線による劣化をより効果的に防ぐことができる。
【００２６】
【発明の効果】
以上のように本願発明によれば、集塵部から電動送風機を介して排気口に至る排気流路とを備え、電動送風機を囲繞するフィルタを有し、該フィルタで囲まれる空間内に環状の紫外線ランプを配置したことにより、電動送風機の排気に含まれる細菌やフィルタに付着した細菌等を殺菌することができ、外部に排気と共に細菌が排出されるのを防止することができる。また、環状の紫外線ランプを用いているので、電動送風機とフィルタ間の全周にわたって紫外線をむらなく照射することができる。
【００３１】
また、フィルタで囲まれる空間の掃除機本体内面に、対紫外線劣化防止処理を施したことにより、周囲の樹脂の紫外線による劣化をより効果的に防ぐことができる。
【図面の簡単な説明】
【図１】本願発明の一実施形態に係る電気掃除機における掃除機本体の縦断面図。
【図２】上記実施形態の電動送風機部分を要部が分かりやすいように裏返して示した斜視図。
【図３】上記掃除機本体の内部構成を示す斜視図。
【図４】同じく、上記掃除機本体の外観斜視図。
【符号の説明】
１  掃除機本体
４  本体ケース
５  ホース差込口
６  吸気口
７  サイクロン式集塵容器
８  電動送風機
９  電動送風機室
１２  モータ
１３  ファンカバー
１３ａ  吸込口
１４  ブラケット
１５  ブラケット排気口
１７  モータベース部
１８  開口部
２０  環状の紫外線ランプ
２１  フィルタ
２２  後車輪
２３  排気口
【図１】
0003806651.tif 000002
【図２】
0003806651.tif 000003
【図３】
0003806651.tif 000004
【図４】
0003806651.tif 000005